(57)【要約】【課題】様々な通信仕様のネットワークに接続するＳＤＨ／ＳＯＮＥＴ伝送装置で、接続するネットワークの種別や規格の変更に容易に対応できること。【解決手段】ＳＯＮＥＴ信号変換部をインターフェース部に代わって信号処理部１２０に設ける。また、インターフェース部１１０に設定データ格納部１１５を設け、信号処理部１２０のＳＯＮＥＴ信号変換部１２２は再生設定可能なデバイスを使用し、インターフェース部１１０と信号処理部１２０が接続された際に、ＳＯＮＥＴ信号変換部１２２が設定データ格納部１１５に格納された設定データを読み出して動作設定するよう構成する。また、インターフェース部１１０の設定データ格納部１１５に格納される設定データにネットワークの信号種別を含め、ＳＯＮＥＴ信号変換部１２２が設定データ格納部１１５に格納される設定データに含まれる信号種別を読み出してＸＣ部１２３に送信する。【選択図】        図１
2005217569.tif 000002
【特許請求の範囲】
【請求項１】
様々な通信仕様のネットワークに接続するＳＤＨ／ＳＯＮＥＴ伝送装置であって、
前記様々な通信仕様のネットワークのうちのあるネットワークに接続し、該接続したネットワークと信号を送受信するインターフェース手段と、
複数の前記インターフェース手段から受信した信号の分離または多重と振り分けとを行って得た信号を該複数のインターフェース手段に送信する信号処理手段とを備え、
前記インターフェース手段は、前記接続したネットワークと送受信する信号と、前記信号処理手段と送受信する内部通信用信号との相互変換を行い、
前記信号処理手段は、前記複数のインターフェース手段から受信した内部通信用信号をＳＤＨ／ＳＯＮＥＴ信号に変換して信号の分離または多重と振り分けとを行い、該分離または多重と振り分けとを行って得たＳＤＨ／ＳＯＮＥＴ信号を内部通信用信号に変換して該複数のインターフェース手段に送信することを特徴とするＳＤＨ／ＳＯＮＥＴ伝送装置。
【請求項２】
前記インターフェース手段は、接続するネットワークの仕様に基づくＳＤＨ／ＳＯＮＥＴ信号処理用設定データを記憶する設定データ記憶手段を備え、
前記信号処理手段は、前記設定データ記憶手段に記憶されたＳＤＨ／ＳＯＮＥＴ信号処理用設定データを用いてＳＤＨ／ＳＯＮＥＴ信号と内部通信用信号との相互変換を行うことを特徴とする請求項１に記載のＳＤＨ／ＳＯＮＥＴ伝送装置。
【請求項３】
前記インターフェース手段は、接続するネットワークの種別についての情報であるインターフェース種別情報を記憶するインターフェース種別情報記憶手段を備え、
前記インターフェース種別情報記憶手段に記憶されたインターフェース種別情報に基づいて前記信号処理手段によるＳＤＨ／ＳＯＮＥＴ信号と内部通信用信号との相互変換の動作設定を行う動作設定手段をさらに備えたことを特徴とする請求項１に記載のＳＯＮＥＴ伝送装置。
【発明の詳細な説明】
【技術分野】
【０００１】
この発明は、様々な通信仕様のネットワークに接続するＳＤＨ(Synchronous Digital Hierarchy)／ＳＯＮＥＴ(Synchronous Optical Network)伝送装置に関し、特に、ネットワークの信号種別の変更などネットワーク仕様の変更に容易に対応することができるＳＤＨ／ＳＯＮＥＴ伝送装置に関するものである。なお、以下の説明では、米国仕様のＳＯＮＥＴ伝送装置を例として説明する。
【背景技術】
【０００２】
ＳＯＮＥＴ伝送装置は、低速な回線を階層的に積み上げて多重化することによって回線の高速化を実現する同期光伝送装置である。ここで、多重化の基本単位は５１．８４Ｍｂ／ｓ（ＯＣ−１：Optical Carrier-level 1）であり、ＳＯＮＥＴでは、基本単位を多重化する本数によって様々な伝送速度のネットワークを実現することができる。例えば、基本単位を１９２本多重化することによって約１０Ｇｂｐｓの伝送速度のネットワークを実現することができる（ＯＣ−１９２）。
【０００３】
図６−１は、ＳＯＮＥＴ伝送装置の構成を示す図である。同図に示すように、ＳＯＮＥＴ伝送装置は、接続するネットワークとの間で信号の送受信を行う複数のインターフェース部６１０と、インターフェース部６１０から信号を受信して信号の分離または多重や振り分けなどの処理を行い、処理した信号を他のインターフェース部６１０に送信する信号処理部６２０とを有する。
【０００４】
また、インターフェース部６１０は、接続するネットワークの信号種別に合わせて交換可能なパケージであり、基本単位の多重化本数によって様々な回線速度のネットワーク、電気信号を用いるネットワーク、ＬＡＮなどの非同期ネットワークなどと接続する（例えば、非特許文献１参照。）。
【０００５】
図６−２は、従来のＳＯＮＥＴ伝送装置のインターフェース部６１０および信号処理部６２０の構成を示す機能ブロック図である。同図に示すように、インターフェース部６１０は、信号受信部６１１と、ＳＯＮＥＴ信号変換部６１２と、内部通信用信号変換部６１３および６１４と、信号送信部６１５と、設定データ格納部６１６と、ＰＬＬ部６１７とを有し、信号処理部６２０は、ＸＣ部６２１と、内部通信用信号変換部６２２〜６２５と、ＰＬＬ部６２６とを有する。
【０００６】
信号受信部６１１は、ネットワークから受信した信号を内部信号に変換する変換部である。この信号受信部６１１は、例えば、ネットワークから受信した信号が光信号であれば電気信号に変換し、ネットワークから受信した信号が電気信号であればバイポーラ信号をユニポーラ信号に変換する。
【０００７】
ＳＯＮＥＴ信号変換部６１２は、信号受信部６１１によってユニポーラ電気信号に変換された信号を受信してＳＯＮＥＴ信号に変換する変換部である。また、このＳＯＮＥＴ信号変換部６１２は、内部通信用信号変換部６１４から受信した信号に送信ＳＯＮＥＴ信号処理を行って信号送信部６１５に送信する。なお、ＳＯＮＥＴ信号への変換については、非特許文献２に記載されている。
【０００８】
内部通信用信号変換部６１３は、ＳＯＮＥＴ信号変換部６１２によってＳＯＮＥＴ信号に変換された信号を内部通信用信号であるＰＥＣＬ(Positive Emitter Coupled Logic)信号やＬＶＤＳ(Low Voltage Differential Signaling)信号などに変換して信号処理部６２０に送信する変換部である。
【０００９】
内部通信用信号変換部６１４は、信号処理部６２０からＰＥＣＬ信号やＬＶＤＳ信号など内部通信用信号を受信して内部処理用信号に変換し、ＳＯＮＥＴ信号変換部６１５に送信する変換部である。
【００１０】
信号送信部６１５は、ＳＯＮＥＴ信号変換部６１２から受信した電気信号を外部信号に変換してネットワークに送信する処理部である。この信号送信部６１５は、例えば、ネットワークに送信する信号が光信号であれば電気信号を光信号に変換し、ネットワークに送信する信号が電気信号であればユニポーラ信号をバイポーラ信号に変換する。
【００１１】
設定データ格納部６１６は、接続するネットワークの種別、すなわちインターフェ−スに基づいてＳＯＮＥＴ信号変換部６１２を構築するための設定データを格納した記憶部である。この設定データを用いたＳＯＮＥＴ信号変換部６１２の構築は、インターフェース部６１０の実装時に行われる。
【００１２】
ＰＬＬ部６１７は、装置内部を動作させる基本クロック（RefＣＬＫ）と同期させた信号処理用クロック（信号処理用ＣＬＫ）を発生させるクロック信号生成部である。ＳＯＮＥＴ信号変換部６１２は、この信号処理用ＣＬＫを用いることによって、出力信号のジッタを低減させることができる。
【００１３】
ＸＣ部（クロスコネクト部）６２１は、インターフェース部が受信した信号を他のインターフェース部へ送信するために、信号の振り分け制御や信号の多重・分離などを行う処理部である。
【００１４】
内部通信用信号変換部６２２および６２４は、インターフェース部から受信した内部通信用信号をＸＣ部６２１が処理する内部処理用信号に変換する変換部であり、内部通信用信号変換部６２３および６２５は、ＸＣ部６２１が処理した信号を内部通信用信号に変換する変換部である。
【００１５】
ＰＬＬ部６２６は、装置内部を動作させる基本クロック（RefＣＬＫ）と同期させたクロスコネクト信号処理用クロック（ＸＣ信号処理用ＣＬＫ）を発生させるクロック信号生成部である。
【００１６】
このＳＯＮＥＴ伝送装置の信号の流れとしては、外部からの信号（ＤＳ３、ＤＳ１、ＯＣ３〜ＯＣ１９２など）が各信号に適応したインターフェース部６１０の信号受信部６１１により受信され、ユニポーラ電気信号に変換された後、ＳＯＮＥＴ信号変換部６１２にてＳＯＮＥＴ ＳＴＳ フォーマットへ変換され（ＳＯＮＥＴ ＳＴＳ フォーマットで受信したものは必要な信号の抜き出し、周波数変換を行う）、その後、内部通信用信号変換部６１３にてＰＥＣＬ／ＬＶＤＳ信号などのパッケージ間通信用の信号レベルへ変換される。
【００１７】
そして、信号処理部６２０の内部通信用信号変換部６２２で内部処理用信号に変換された後、ＸＣ部６２１へ送信される。そして、ＸＣ部６２１は、インターフェース部からの信号を、他のインターフェース部へ送信するため、信号の振り分け制御・信号の多重/分離を行い、振り分けた信号を内部通信用信号変換部６２３へ送信し、内部通信用信号変換部６２３は信号変換を行った後に、他のインターフェース部へ送信する。
【００１８】
この際に、インターフェース部と信号処理部６２０間で送信される信号は、インターフェース部が何に接続されているかにより、信号速度(複数物理線で接続されているならば信号の接続数)が決定されるため、ＣＰＵ制御などで、信号の種別を信号処理部６２０のＸＣ部６２１へ設定する必要がある。
【００１９】
例えば、インターフェースがＯＣ４８ならば、インターフェース部と信号処理部６２０間で送信される信号の速度は約２．４Ｇｂ／ｓであり、インターフェースがＤＳ３ならばインターフェース部と信号処理部６２０間で送信される信号の速度は約５１Ｍｂ／ｓであるため、ＸＣ部６２１ではインターフェース部へ送信する信号速度管理が必要であり、信号の種別をＸＣ部６２１へ設定する必要がある。
【００２０】
インターフェース部６１０の送信側では、信号処理部６２０より受信した信号を内部通信用信号変換部６１４で内部処理用の信号へ変換し、信号処理用ＣＬＫで動作するＳＯＮＥＴ信号変換部６１２にて必要な信号処理を行った後に、信号送信部６１５へ信号を出力し、信号送信部６１５で、電気信号を光信号へ変換するＥ／Ｏ部またはユニポーラ信号をバイポーラ信号へ変換するＵ／Ｂ部へ送り、Ｅ／Ｏ部またはＵ／Ｂ部からインターフェースに従った光/電気信号を出力する。
【００２１】
【非特許文献１】「ADMトランスポートシステム FLASHWAVE 4530 仕様・諸元」、［平成１５年１２月２０日検索］、インターネット＜URL:http://telecom.fujitsu.com/jp/products/fw_sdh/fw4530_syogen.html＞
【非特許文献２】「Synchronous Optical Network (SONET) Transport Systems: Common Generic Criteria」，Telcordia GR253
【発明の開示】
【発明が解決しようとする課題】
【００２２】
しかしながら、従来のＳＯＮＥＴ伝送装置には、接続するネットワークが使用する信号の種別の変更に伴ってインターフェース部６１０を交換する場合に、インターフェース部６１０が信号受信部６１１、ＳＯＮＥＴ信号変換部６１２、内部通信用信号変換部６１３および６１４、ならびに信号送信部６１５と多くの機能を備えているために、コストが高いという問題がある。
【００２３】
また、使用する信号の種別には変更がない場合でも、規格の変更により、信号内部のbitの追加などで、ＳＯＮＥＴ信号変換部６１２の動作を変更する際に、同様にインターフェース部６１０全体を交換する必要があるという問題がある。
【００２４】
さらに、信号処理部６２０へ信号速度(複数物理線で接続されているならば信号の接続数)などを、ＣＰＵなどから設定する必要があり、新たな信号の種別をサポートする際に、ＣＰＵのソフトを新規格のインターフェース部６１０に対応する設定を持つソフトへ変更し、信号処理部６２０へ設定を行う必要があるという問題もある。
【００２５】
この発明は、上述した従来技術による問題点を解消するためになされたものであり、ネットワークの信号種別の変更などネットワーク仕様の変更に容易に対応することができるＳＤＨ／ＳＯＮＥＴ伝送装置を提供することを目的とする。
【課題を解決するための手段】
【００２６】
上述した課題を解決し、目的を達成するため、本発明は、様々な通信仕様のネットワークに接続するＳＤＨ／ＳＯＮＥＴ伝送装置であって、前記様々な通信仕様のネットワークのうちのあるネットワークに接続し、該接続したネットワークと信号を送受信するインターフェース手段と、複数の前記インターフェース手段から受信した信号の分離または多重と振り分けとを行って得た信号を該複数のインターフェース手段に送信する信号処理手段とを備え、前記インターフェース手段は、前記接続したネットワークと送受信する信号と、前記信号処理手段と送受信する内部通信用信号との相互変換を行い、前記信号処理手段は、前記複数のインターフェース手段から受信した内部通信用信号をＳＤＨ／ＳＯＮＥＴ信号に変換して信号の分離または多重と振り分けとを行い、該分離または多重と振り分けとを行って得たＳＤＨ／ＳＯＮＥＴ信号を内部通信用信号に変換して該複数のインターフェース手段に送信することを特徴とする。
【００２７】
この発明によれば、インターフェース手段は、接続したネットワークと送受信する信号と信号処理手段と送受信する内部通信用信号との相互変換を行い、信号処理手段は、複数のインターフェース手段から受信した内部通信用信号をＳＤＨ／ＳＯＮＥＴ信号に変換して信号の分離または多重と振り分けとを行い、分離または多重と振り分けとを行って得たＳＤＨ／ＳＯＮＥＴ信号を内部通信用信号に変換して複数のインターフェース手段に送信するよう構成したので、インターフェース手段のコストを下げることができる。
【００２８】
また、本発明は、上記発明において、前記インターフェース手段は、接続するネットワークの仕様に基づくＳＤＨ／ＳＯＮＥＴ信号処理用設定データを記憶する設定データ記憶手段を備え、前記信号処理手段は、前記設定データ記憶手段に記憶されたＳＤＨ／ＳＯＮＥＴ信号処理用設定データを用いてＳＤＨ／ＳＯＮＥＴ信号と内部通信用信号との相互変換を行うことを特徴とする。
【００２９】
この発明によれば、インターフェース手段は、接続するネットワークの仕様に基づくＳＤＨ／ＳＯＮＥＴ信号処理用設定データを記憶し、信号処理手段は、インターフェース手段に記憶されたＳＤＨ／ＳＯＮＥＴ信号処理用設定データを用いてＳＤＨ／ＳＯＮＥＴ信号と内部通信用信号との相互変換を行うよう構成したので、インターフェースの変更に対して信号処理手段を変更することなく対応することができる。
【発明の効果】
【００３０】
本発明によれば、インターフェース手段のコストを下げることができ、また、インターフェースの変更に対して信号処理手段を変更することなく対応することができるので、ネットワーク仕様の変更に容易に低コストで対応することができるという効果を奏する。
【発明を実施するための最良の形態】
【００３１】
以下に添付図面を参照して、この発明に係るＳＤＨ／ＳＯＮＥＴ伝送装置の好適な実施例を詳細に説明する。なお、本実施例では、インターフェースの一つが、基本単位を３本多重化したＯＣ３であり、内部通信用信号としてＬＶＤＳ信号を用いるＳＯＮＥＴ伝送装置に本発明を適用した場合を中心に説明する。
【実施例１】
【００３２】
まず、本実施例１に係るＳＯＮＥＴ伝送装置のインターフェース部および信号処理部の構成について説明する。図１は、本実施例１に係るＳＯＮＥＴ伝送装置のインターフェース部および信号処理部の構成を示す機能ブロック図である。
【００３３】
同図に示すように、このＳＯＮＥＴ伝送装置のインターフェース部１１０は、Ｏ／Ｅ部１１１と、ＬＶＤＳ変換部１１２および１１３と、Ｅ／Ｏ部１１４と、設定データ格納部１１５と、ＰＬＬ部１１６とを有し、信号処理部１２０は、ＬＶＤＳ変換部１２１と、ＳＯＮＥＴ信号変換部１２２と、ＸＣ部１２３と、ＳＯＮＥＴ信号変換部１２４と、ＬＶＤＳ変換部１２５〜１２７と、ＰＬＬ部１２８とを有する。
【００３４】
Ｏ／Ｅ部１１１は、ネットワークから受信した光信号を電気信号に変換する変換部である。ここで、このインターフェース部１１０とネットワークとのインターフェースは、ＯＣ−３である。なお、このＯ／Ｅ部１１１は、接続するネットワークの信号が電気信号の場合には、バイポーラ信号をユニポーラ信号に変換するＢ／Ｕ部に置き換えられる。
【００３５】
ＬＶＤＳ変換部１１２は、Ｏ／Ｅ部１１１によって電気信号に変換された信号を受信して内部通信用信号であるＬＶＤＳ信号に変換する変換部であり、変換したＬＶＤＳ信号を信号処理部１２０に送信する。ＬＶＤＳ変換部１１３は、信号処理部１２０から受信した内部通信用信号を内部信号に変換する変換部であり、変換した内部信号をＥ／Ｏ部１１４に送信する。
【００３６】
Ｅ／Ｏ部１１４は、内部信号である電気信号を光信号に変換してネットワークに送信する処理部である。なお、このＥ／Ｏ部１１４は、接続するネットワークが電気信号の場合には、ユニポーラ信号をバイポーラ信号に変換するＵ／Ｂ部に置き換えられる。
【００３７】
設定データ格納部１１５は、接続するネットワークの種別に基づいてＳＯＮＥＴ信号変換部１２２を構築するための設定データを格納した記憶部であり、ここでは、ＯＣ３用設定データが格納される。なお、この設定データを用いたＳＯＮＥＴ信号変換部１２２の構築は、インターフェース部１１０と信号処理部１２０とを接続した際に行われる。
【００３８】
ＰＬＬ部１１６は、装置内部を動作させる基本クロック（RefＣＬＫ）と同期させた信号処理用クロック（信号処理用ＣＬＫ）を発生させるクロック信号生成部である。ＳＯＮＥＴ信号変換部１２２は、この信号処理用ＣＬＫを用いることによって、出力信号のジッタを低減させることができる。
【００３９】
ＬＶＤＳ変換部１２１は、インターフェース部１１０から受信した内部通信用信号（ＬＶＤＳ信号）をＳＯＮＥＴ信号変換部１２２が処理する内部処理用信号に変換する変換部である。
【００４０】
ＳＯＮＥＴ信号変換部１２２は、ＬＶＤＳ変換部１２１によって変換された内部処理用信号をＳＯＮＥＴ信号に変換する変換部である。このＳＯＮＥＴ信号変換部１２２は、再設定可能なＦＰＧＡを用いて構成され、インターフェース部１１０と信号処理部１２０との接続時に設定データをインターフェース部１１０から読み出して信号種別／処理単位などを設定することによって、再設定可能なデバイスとして動作する。ここでは、このＳＯＮＥＴ信号変換部１２２は、ＯＣ３用設定データをインターフェース部１１０から読み出して設定することにより、ＯＣ３信号変換部として動作する。
【００４１】
また、このＳＯＮＥＴ信号変換部１２２は、設定データを用いて設定した信号種別／処理単位をＳＯＮＥＴ信号とともに、ＸＣ部１２３へ送信する。このＳＯＮＥＴ信号変換部１２２が信号種別をＸＣ部１２３へ送信することによって、ＸＣ部１２３へ信号種別を容易に通知することができる。
【００４２】
また、このＳＯＮＥＴ信号変換部１２２は、ＸＣ部１２３によって処理されてインターフェース部１１０に送信されるＳＯＮＥＴ信号をＸＣ部１２３から受け取り、内部処理用信号に変換してＬＶＤＳ変換部１２７に送信する。この際、ＸＣ部１２３には信号種別がＯＣ３であることを通知してあるため、ＯＣ３信号以上のデータ量は、ＸＣ部１２３によって抑制される。
【００４３】
ＸＣ部（クロスコネクト部）１２３は、インターフェース部が受信した信号を他のインターフェース部へ送信するために、信号の振り分け制御や信号の多重・分離などを行う処理部である。
【００４４】
例えば、このＸＣ部１２３は、ＳＯＮＥＴ信号変換部１２２からＳＯＮＥＴ信号を受け取り、信号の振り分け制御や信号の多重・分離などを行って、ＳＯＮＥＴ信号変換部１２４へ送信し、ＳＯＮＥＴ信号変換部１２４からＳＯＮＥＴ信号を受け取り、信号の振り分け制御や信号の多重・分離などを行って、ＳＯＮＥＴ信号変換部１２２へ送信する。
【００４５】
ＳＯＮＥＴ信号変換部１２４は、ＸＣ部１２３によって処理されたＳＯＮＥＴ信号を内部信号に変換する変換部である。また、このＳＯＮＥＴ信号変換部１２４は、ＬＶＤＳ変換部１２６から内部処理信号を受け取り、ＳＯＮＥＴ信号に変換する。
【００４６】
なお、このＳＯＮＥＴ信号変換部１２４は、ＳＯＮＥＴ信号変換部１２２と同様に、再設定可能なＦＰＧＡを用いて構成され、他のインターフェース部と信号処理部１２０との接続時に設定データをインターフェース部から読み出して信号種別／処理単位などを設定することによって、再設定可能なデバイスとして動作する。
【００４７】
ＬＶＤＳ変換部１２５は、ＳＯＮＥＴ信号変換部１２４から内部処理用信号を受け取り、内部通信用信号（ＬＶＤＳ信号）に変換する変換部であり、変換した内部通信用信号をインターフェース部に送信する。
【００４８】
ＬＶＤＳ変換部１２６は、インターフェース部から受信した内部通信用信号（ＬＶＤＳ信号）をＳＯＮＥＴ信号変換部１２４が処理する内部処理用信号に変換する変換部である。
【００４９】
ＬＶＤＳ変換部１２７は、ＳＯＮＥＴ信号変換部１２２から内部処理用信号を受け取り、内部通信用信号（ＬＶＤＳ信号）に変換する変換部であり、変換した内部通信用信号をインターフェース部１１０に送信する。
【００５０】
ＰＬＬ部１２８は、装置内部を動作させる基本クロック（RefＣＬＫ）と同期させたクロスコネクト信号処理用クロック（ＸＣ信号処理用ＣＬＫ）を発生させるクロック信号生成部である。
【００５１】
このように、このＳＯＮＥＴ伝送装置では、インターフェース部１１０を、ネットワークとの信号の送受信を行うＯ／Ｅ部１１１およびＥ／Ｏ部１１４と、内部通信用信号に変換するＬＶＤＳ変換部１１２および１１３と、設定データ格納部１１５のみの最小構成とすることによって、インターフェース部１１０のコストを下げることができる。
【００５２】
また、このＳＯＮＥＴ伝送装置は、ＳＯＮＥＴ信号処理部を信号処理部１２０内に有する。そして、信号処理部１２０のＳＯＮＥＴ信号変換部は、再設定可能なデバイスであるＦＰＧＡを使用し、インターフェース部との接続時に、インターフェース部から構築データを受信し、再設定可能なデバイスとして動作する。したがって、ネットワークの信号種別の変更時には、再度構築データをインターフェース部から読み出して動作を設定することができ、交換部分を最小限にすることができる。
【００５３】
また、このＳＯＮＥＴ伝送装置では、インターフェース部の設定データ内に信号種別データを持つことによって、設定データによりＳＯＮＥＴ信号変換部が設定された際に、ＸＣ部１２３へ信号種別を容易に通知することができる。
【００５４】
例えば、ＳＯＮＥＴ信号変換部とＸＣ部１２３との間で信号種別設定用のシルアルデータ転送(バラレル線でも可能)を設けておき、信号種別がＯＣ４８(約２．４Ｇｂ／ｓ)ならば'４８'を、ＤＳ３(約５１Ｍｂ／ｓ)ならば'１'をＳＯＮＥＴ信号変換部からＸＣ部１２３へ送ることにより、ＸＣ部１２３は信号の種別・信号速度を判定し、接続信号に合わせた、信号本数を処理することが出来る。
【００５５】
また、新たなインターフェース規格が制定された場合にも、ＳＯＮＥＴ信号変換部がインターフェース部に格納された設定データを読み出して設定を行うことにより、インターフェース部を交換するだけでＳＯＮＥＴ信号変換部を再構築することが可能であり、新規格の信号へ容易に対応することができる。
【００５６】
次に、図１に示したインターフェース部１１０がネットワークから受信した信号に対するインターフェース部１１０および信号処理部１２０の処理手順について説明する。図２は、図１に示したインターフェース部１１０がネットワークから受信した信号に対するインターフェース部１１０および信号処理部１２０の処理手順を示すフローチャートである。
【００５７】
同図に示すように、このインターフェース部１１０は、Ｏ／Ｅ部１１１が受信した光信号を電気信号に変換し（ステップＳ２０１）、ＬＶＤＳ変換部１１２がＯ／Ｅ部１１１から受信した電気信号を内部通信用信号であるＬＶＤＳ信号に変換して信号処理部１２０に送信する（ステップＳ２０２）。
【００５８】
そして、ＬＶＤＳ信号を受信した信号処理部１２０は、ＬＶＤＳ変換部１２１がＬＶＤＳ信号を内部信号に変換し（ステップＳ２０３）、ＳＯＮＥＴ信号変換部１２２が内部信号をＳＯＮＥＴ ＳＴＳ フォーマットへ変換する（ステップＳ２０４）。
【００５９】
そして、ＸＣ部１２３が多重・分離／振り分け処理を行い（ステップＳ２０５）、ＳＯＮＥＴ信号変換部１２４が送信先の信号処理用ＣＬＫに同期させ（ステップＳ２０６）、必要な信号処理を行い、ＬＶＤＳ変換部１２５がＬＶＤＳ信号に変換し（ステップＳ２０７）、他のインターフェース部に送信する（ステップＳ２０８）。
【００６０】
次に、図１に示した信号処理部１２０が他のインターフェース部から受信した信号に対するインターフェース部１１０および信号処理部１２０の処理手順について説明する。図３は、図１に示した信号処理部１２０が他のインターフェース部から受信した信号に対するインターフェース部１１０および信号処理部１２０の処理手順を示すフローチャートである。
【００６１】
同図に示すように、この信号処理部１２０は、他のインターフェース部から受信したＬＶＤＳ信号をＬＶＤＳ変換部１２６が内部信号に変換し（ステップＳ３０１）、ＳＯＮＥＴ信号変換部１２４が内部信号をＳＯＮＥＴ ＳＴＳ フォーマットへ変換する（ステップＳ３０２）。
【００６２】
そして、ＸＣ部１２３が多重・分離／振り分け処理を行い（ステップＳ３０３）、インターフェース部１１０に送信する信号に対してＳＯＮＥＴ信号変換部１２２が送信ＳＯＮＥＴ信号処理を行う（ステップＳ３０４）。そして、ＬＶＤＳ変換部１２７がＬＶＤＳ信号に変換し（ステップＳ３０５）、インターフェース部１１０に送信する。
【００６３】
そして、ＬＶＤＳ信号を受信したインターフェース部１１０は、ＬＶＤＳ変換部１１３が内部信号に変換し（ステップＳ３０６）、Ｅ／Ｏ部１１４が電気信号を光信号に変換してネットワークに送信する（ステップＳ３０７）。
【００６４】
上述してきたように、本実施例１では、ＳＯＮＥＴ信号変換部をインターフェース部に代わって信号処理部１２０に設けることによって、インターフェース部のコストを下げることができる。
【００６５】
また、本実施例１では、インターフェース部１１０に設定データ格納部１１５を設け、信号処理部１２０のＳＯＮＥＴ信号変換部１２２は再設定可能なデバイスを使用し、インターフェース部１１０と信号処理部１２０が接続された際に、ＳＯＮＥＴ信号変換部１２２が設定データ格納部１１５に格納された設定データを読み出して動作設定することによって、インターフェース部１１０に接続するネットワークの種別や規格の変更に対して、信号処理部１２０を変更することなくインターフェース部１１０だけを交換することによって対応することができる。
【００６６】
また、本実施例１では、インターフェース部１１０の設定データ格納部１１５に格納される設定データにネットワークの信号種別を含め、ＳＯＮＥＴ信号変換部１２２が設定データ格納部１１５に格納される設定データに含まれる信号種別を読み出してＸＣ部１２３に送信することとしたので、ＸＣ部１２３にネットワークの信号種別を容易に通知することができる。
【実施例２】
【００６７】
ところで、上記実施例１では、ＳＯＮＥＴ信号変換部がインターフェース部の設定データ格納部に格納された設定データを読み出して動作設定する場合について説明した。しかしながら、ＳＯＮＥＴ信号変換部の動作設定は、他の装置、例えばＣＰＵによっても行うことができる。そこで、本実施例２では、ＣＰＵがＳＯＮＥＴ信号変換部の動作設定を行う場合について説明する。
【００６８】
まず、本実施例２に係るＳＯＮＥＴ伝送装置のインターフェース部、ＣＰＵ部および信号処理部の構成について説明する。図４は、本実施例２に係るＳＯＮＥＴ伝送装置のインターフェース部、ＣＰＵ部および信号処理部の構成を示す機能ブロック図である。なお、ここでは説明の便宜上、図１に示した各部と同様の役割を果たす機能部については同一符号を付すこととしてその詳細な説明を省略する。
【００６９】
同図に示すように、このＳＯＮＥＴ伝送装置のインターフェース部４１０は、Ｏ／Ｅ部１１１と、ＬＶＤＳ変換部１１２および１１３と、Ｅ／Ｏ部１１４と、インターフェース種別情報記憶部４１１と、ＰＬＬ部１１６とを有し、信号処理部４２０は、ＬＶＤＳ変換部１２１と、ＳＯＮＥＴ信号変換部４２１と、ＸＣ部１２３と、ＳＯＮＥＴ信号変換部４２２と、ＬＶＤＳ変換部１２５〜１２７と、ＰＬＬ部１２８とを有する。また、このＳＯＮＥＴ伝送装置のＣＰＵ部４３０は、設定データ格納部４３１とＣＰＵ４３２とを有する。
【００７０】
インターフェース部４１０のインターフェース種別情報記憶部４１１は、インターフェース種別についての情報を記憶した記憶部であり、ＣＰＵ部４３０の設定データ格納部４３１は、ＳＯＮＥＴ信号変換部の設定データを格納した記憶部である。
【００７１】
ＣＰＵ４３２は、インターフェース種別情報記憶部４１１に記憶されたインターフェース種別を読み出し、読み出したインターフェース種別に対応する設定データを設定データ格納部４３１から読み出し、ＳＯＮＥＴ信号変換部４２１および４２２に設定する。
【００７２】
このように、ＣＰＵ部４３０に全てのインターフェース種別に対応する設定データを記憶して一括管理することによって、インターフェース部から設定データ記憶部をなくすことができ、インターフェース部のコストを下げることができる。
【００７３】
また、ここでは、ＣＰＵ部４３０の設定データ格納部４３１に設定データを格納して一括管理しているが、設定データは、ネットワーク接続されたサーバに格納し、ＣＰＵ４３２がサーバからダウンロードしてＳＯＮＥＴ信号変換部に設定することもできる。
【００７４】
次に、図４に示したＣＰＵ４３２によるＳＯＮＥＴ信号変換部の動作設定処理の処理手順について説明する。図５は、図４に示したＣＰＵ４３２によるＳＯＮＥＴ信号変換部の動作設定処理の処理手順を示すフローチャートである。
【００７５】
同図に示すように、このＣＰＵ４３２は、インターフェース部４１０の接続を検出し（ステップＳ５０１）、インターフェース部４１０のインターフェース種別情報記憶部４１１からインターフェース種別情報を読み出す（ステップＳ５０２）。
【００７６】
そして、読み出したインターフェース種別情報に基づいて設定データ格納部４３１から設定データを読み出し（ステップＳ５０３）、ＳＯＮＥＴ信号変換部４２１に設定する（ステップＳ５０４）。
【００７７】
上述してきたように、本実施例２では、インターフェース部４１０のインターフェース種別情報記憶部４１１にインターフェース種別情報を記憶し、ＣＰＵ部４３０の設定データ格納部４３１がＳＯＮＥＴ変換部の設定データを記憶し、ＣＰＵ４３２がインターフェース種別情報記憶部４１１からインターフェース種別情報を読み出し、読み出したインターフェース情報に基づいて設定データ格納部４３１から設定データを読み出してＳＯＮＥＴ変換部４２１の動作設定を行うこととしたので、インターフェース部から設定データ記憶部を削除することができ、インターフェース部のコストを下げることができる。
【００７８】
また、本実施例２では、ＳＯＮＥＴ変換部の設定データをＣＰＵ部４３０の設定データ格納部４３１に一括管理することによって、インターフェースの種別や規格の変更に対して設定データ格納部４３１の設定データだけを変更することで容易に対応することができる。
【００７９】
なお、本実施例１および２では、インターフェースとしてＯＣ３を使用し、内部通信用信号としてＬＶＤＳ信号を用いる場合について説明したが、本発明はこれに限定されるものではなく、インターフェースとしてＤＳ３などの他のインターフェースをする場合や内部通信用信号としてＰＥＣＬ信号など他の信号を用いる場合にも同様に適用することができる。
【００８０】
（付記１）様々な通信仕様のネットワークに接続するＳＤＨ／ＳＯＮＥＴ伝送装置であって、
前記様々な通信仕様のネットワークのうちのあるネットワークに接続し、該接続したネットワークと信号を送受信するインターフェース手段と、
複数の前記インターフェース手段から受信した信号の分離または多重と振り分けとを行って得た信号を該複数のインターフェース手段に送信する信号処理手段とを備え、
前記インターフェース手段は、前記接続したネットワークと送受信する信号と、前記信号処理手段と送受信する内部通信用信号との相互変換を行い、
前記信号処理手段は、前記複数のインターフェース手段から受信した内部通信用信号をＳＤＨ／ＳＯＮＥＴ信号に変換して信号の分離または多重と振り分けとを行い、該分離または多重と振り分けとを行って得たＳＤＨ／ＳＯＮＥＴ信号を内部通信用信号に変換して該複数のインターフェース手段に送信することを特徴とするＳＤＨ／ＳＯＮＥＴ伝送装置。
【００８１】
（付記２）前記インターフェース手段は、接続するネットワークの仕様に基づくＳＤＨ／ＳＯＮＥＴ信号処理用設定データを記憶する設定データ記憶手段を備え、
前記信号処理手段は、前記設定データ記憶手段に記憶されたＳＤＨ／ＳＯＮＥＴ信号処理用設定データを用いてＳＤＨ／ＳＯＮＥＴ信号と内部通信用信号との相互変換を行うことを特徴とする付記１に記載のＳＤＨ／ＳＯＮＥＴ伝送装置。
【００８２】
（付記３）前記インターフェース手段は、接続するネットワークの種別についての情報であるインターフェース種別情報を記憶するインターフェース種別情報記憶手段を備え、
前記インターフェース種別情報記憶手段に記憶されたインターフェース種別情報に基づいて前記信号処理手段によるＳＤＨ／ＳＯＮＥＴ信号と内部通信用信号との相互変換の動作設定を行う動作設定手段をさらに備えたことを特徴とする付記１に記載のＳＤＨ／ＳＯＮＥＴ伝送装置。
【００８３】
（付記４）前記動作設定手段は、動作設定に用いる設定データをネットワークを介して接続されたサーバから前記インターフェース種別情報に基づいてダウンロードし、該ダウンロードした設定データを用いて動作設定を行うことを特徴とする付記３に記載のＳＤＨ／ＳＯＮＥＴ伝送装置。
【００８４】
（付記５）様々な通信仕様のネットワークと接続して通信するＳＤＨ／ＳＯＮＥＴ伝送方法であって、
前記様々な通信仕様のネットワークから外部信号を受信する複数の受信インターフェース工程と、
前記複数の受信インターフェース工程により受信された外部信号の分離または多重と振り分けとを行って送信信号を生成する信号処理工程と、
前記信号処理工程により生成された送信信号をネットワークに送信する複数の送信インターフェース工程とを含み、
前記受信インターフェース工程は、前記接続したネットワークから受信した外部信号を内部通信用信号に変換し、
前記信号処理工程は、前記複数の受信インターフェース工程により変換された内部通信用信号をＳＤＨ／ＳＯＮＥＴ信号に変換して信号の分離または多重と振り分けとを行って送信信号を生成し、生成した送信信号を内部通信用信号に変換し、
前記送信インターフェース工程は、前記信号処理工程が変換した内部通信用信号を外部信号に変換してネットワークに送信することを特徴とするＳＤＨ／ＳＯＮＥＴ伝送方法。
【産業上の利用可能性】
【００８５】
以上のように、本発明に係るＳＤＨ／ＳＯＮＥＴ伝送装置は、様々な仕様のネットワークと接続する場合に有用であり、特に、インターフェースの種別や規格の変更に対応する必要がある場合に適している。
【図面の簡単な説明】
【００８６】
【図１】本実施例１に係るＳＯＮＥＴ伝送装置のインターフェース部および信号処理部の構成を示す機能ブロック図である。
【図２】図１に示したインターフェース部がネットワークから受信した信号に対するインターフェース部および信号処理部の処理手順を示すフローチャートである。
【図３】図１に示した信号処理部が他のインターフェース部から受信した信号に対するインターフェース部および信号処理部の処理手順を示すフローチャートである。
【図４】本実施例２に係るＳＯＮＥＴ伝送装置のインターフェース部、ＣＰＵ部および信号処理部の構成を示す機能ブロック図である。
【図５】図４に示したＣＰＵによるＳＯＮＥＴ信号変換部の動作設定処理の処理手順を示すフローチャートである。
【図６−１】ＳＯＮＥＴ伝送装置の構成を示す図である。
【図６−２】従来のＳＯＮＥＴ伝送装置のインターフェース部および信号処理部の構成を示す機能ブロック図である。
【符号の説明】
【００８７】
１１０，４１０，６１０    インターフェース部
１１１    Ｏ／Ｅ部
１１２，１１３    ＬＶＤＳ変換部
１１４    Ｅ／Ｏ部
１１５，６１６    設定データ格納部
１１６，６１７    ＰＬＬ部
１２０，４２０，６２０    信号処理部
１２１，１２５，１２６，１２７    ＬＶＤＳ変換部
１２２，１２４，４２１，４２２    ＳＯＮＥＴ信号変換部
１２３，６２１    ＸＣ部（クロスコネクト部）
１２８，６２６    ＰＬＬ部
４１１    インターフェース種別情報記憶部
４３０    ＣＰＵ部
４３１    設定データ格納部
４３２    ＣＰＵ
６００    ＳＯＮＥＴ伝送装置
６１１    信号受信部
６１２    ＳＯＮＥＴ信号変換部
６１３，６１４    内部通信用信号変換部
６１５    信号送信部
６２２〜６２５    内部通信用信号変換部
【図１】
2005217569.tif 000003
【図２】
2005217569.tif 000004
【図３】
2005217569.tif 000005
【図４】
2005217569.tif 000006
【図５】
2005217569.tif 000007
【図６−１】
2005217569.tif 000008
【図６−２】
2005217569.tif 000009